(57)【要約】      （修正有）【課題】ラックの落下や傾倒等を防止し安全に段積み可能なラックを提供する。【解決手段】上下のロール製品用ラック１の載置部分の部材、すなわち、下段のロール製品用ラック１の妻枠２００の支柱２０１の上端部２０６あるいはコーナー金具１１０の上端部１１１と上段のロール製品用ラック１の脚部１６０とを、スピンドル部１７０を含む係止機構６００により一体に結合する。【選択図】図１
0003180951.tif 000002
【実用新案登録請求の範囲】
【請求項１】
パレットと、
両側辺の柱部と当該柱部を連結する梁部とを有する枠状部材であって、前記パレットの対向する一方の辺縁に沿って立設されるとともに各々前記パレット上に折り畳み可能な一対の妻枠と、
前記パレットの対向する他方の辺縁に沿って立設され、各々前記一対の妻枠の対向する側辺を連結するとともに、各々前記パレット上に折り畳み可能な一対の側枠と
を有するラックであって、
前記パレットの４隅に設置され、前記妻枠の前記柱部を回動可能に保持するとともに、前記妻枠が立設された場合に当該妻枠の前記柱部を係合保持し当該妻枠を前記立設状態に維持するコーナー部材と、
前記パレットの４隅の下部に各々設置され、前記妻枠が立設状態とされた当該ラックを段積みする場合には下段の当該ラックの前記妻枠の前記柱部の上端部が挿入され、前記妻枠及び前記側枠が折り畳まれた当該ラックを段積みする場合には下段の当該ラックの前記コーナー部材の上端部が挿入される下方に開口した凹部を有する脚部と、
前記パレットの前記脚部の近傍に設置され、スピンドルを前記脚部の前記凹部に略水平に進入させるとともに当該進入したスピンドルを当該凹部から退避させることのできるスピンドル部と、前記妻枠の前記柱部の前記上端部及び前記コーナー部材の前記上端部に各々形成される孔であって、当該妻枠の前記柱部の前記上端部又は前記コーナー部材の前記上端部が前記脚部の前記凹部に挿入された状態において、前記脚部の凹部に進入される前記スピンドルが通過され、前記妻枠の前記柱部の前記上端部又は前記コーナー部材の前記上端部が前記脚部の凹部から離脱不能に係止される係合孔とを有する係止機構と
をさらに有することを特徴とするラック。
【請求項２】
前記脚部は、前記凹部を形成する側面の１に形成され前記スピンドルが通過して外部から当該凹部に進入する第１の孔と、当該第１の孔が形成された側面に対向する側面の前記第１の孔に対向する位置に形成され、前記凹部に進入し前記妻枠の前記柱部の前記上端部又は前記コーナー部材の前記上端部の前記係合孔を通過したスピンドルが前記凹部から外部方向にさらに通過する第２の孔とを有することを特徴とする請求項１に記載のラック。
【請求項３】
前記スピンドル部は、前記脚部近傍の前記パレットの側面に配置され前記スピンドルの前記進入及び前記退避を操作する操作部を有することを特徴とする請求項１又は２に記載のラック。
【請求項４】
前記係止機構は、前記パレットの４隅に各々配置される前記コーナー部材、前記脚部及び前記妻枠の前記柱部のうち、少なくとも対角に位置する２箇所の前記コーナー部材、前記脚部及び前記妻枠の前記柱部に対して設置されることを特徴とする請求項１〜３のいずれかに記載のラック。
【請求項５】
前記一対の妻枠の対向する各側辺の各対向面には、板状部材が上方から挿入可能で、前記板状部材が挿入された場合は当該板状部材を保持可能な係合受部が形成されており、
前記一対の側枠の両側辺の外面であって前記妻枠の前記対向面に対向する面には、前記妻枠の前記係合受部に挿入可能な板状部材である板状係合部が形成されており、
前記一対の側枠は、両側辺の前記板状係合部を、前記一対の妻枠の対向する各側辺の各対向面の前記係合受部に挿入することにより、前記一対の妻枠の対向する側辺を連結した状態で前記パレットの対向する他方の辺縁に沿って立設される請求項１〜４のいずれかに記載のロール製品用ラック。
【請求項６】
前記一対の側枠に両側縁部が設置され当該一対の側枠の間に設置される布状部材であって、収容対象のロール製品の外周面を支持し当該ロール製品を前記パレット上に保持する製品受け布と、
前記製品受け布により前記パレット上に保持された前記ロール製品のコアの少なくとも上方向への移動を防止する製品押え部材と、
前記製品受け布により前記パレット上に保持された前記ロール製品の前記コアの、前記妻枠に平行な横方向及び前記側枠に平行な軸方向の移動を防止するストッパー部材と
をさらに有し、ロール製品を収容する請求項１〜５のいずれかに記載のラック。
【考案の詳細な説明】
【技術分野】
【０００１】
本考案は、サイズが大きく重量も重く高価なロール製品を安全に保持し搬送等することのできるラックに関する。
【背景技術】
【０００２】
従来、ロール製品の収容、搬送等を安全かつ効率よく行うラックとしては、例えば特許文献１に開示されているロール製品用ラックがある。このロール製品用ラックにおいては、ロール製品の両側に突出しているコア（支管）を支管受けによりロール製品の両側で支持することにより、ロール製品をパレット上に保持している。そして特に引用文献１に開示のロール製品用ラックにおいては、支管受けが設置された仕切り枠を移動自在に構成することにより、複数種類の長さのロール製品あるいは任意の長さのロール製品に対応可能になっている。また、引用文献１に記載のロール製品用ラックにおいては、使用に際しては仕切り枠をパレット上に立設させてロール製品を収容し、使用後は仕切り枠をパレットの上に折り畳んでロール製品用ラックを回送等するような組み立て式の構成となっている。このような組み立て式のラックは、回収時に容積を小さくすることができるので、繰り返し使用するロール製品用ラックにおいては好ましい構造である。
【０００３】
またこの種のラックにおいては、組み立てた状態あるいは折り畳んだ状態のラックを段積みできる構成のものもある（例えば特許文献２参照）。段積み可能なラックは、通常、ラックの下部４隅に盆型の深絞り加工を施した段積み金具を取り付け、下のラックの妻枠の柱の上部がその段積み金具の盆型部分に挿入されるように下のラックの上に上側のラックを積み上げる構造となっており、これによりズレが防止されるようになっている。そして、ラックを段積みしてロール製品の搬送等、あるいは、空のラックの回送等を行うことにより、ロール製品を効率よく搬送等し、また、使用を終えたラックを効率よく回送等することができる。
【先行技術文献】
【特許文献】
【０００４】
【特許文献１】特開２０１０−１７３７１６号公報
【特許文献２】特開２０１０−１０５６９１号公報
【考案の概要】
【考案が解決しようとする課題】
【０００５】
しかしながら、従来の段積み可能な組み立て式のラックでは、段積みしたラックがずれて上のラックが落下したり傾倒したりする可能性が考えられ、そのような落下や傾倒等をより確実に防止できる段積み可能な組み立て式のラックが要望されている。
例えば重量の軽い空のラックを段積みした場合、すなわち、ラックを折り畳んで段積みした場合等には、輸送時の振動により段積みしたラックが移動したり飛び跳ねたり振動したりする可能性が高くなり、そのようなラックの落下や傾倒等が発生する可能性が高い。
また、ロール製品を収容しある程度の重量がある場合にも、大きな衝撃や地震等を受けた場合には段積みしたラックの落下や傾倒等が発生する可能性があり、重大な被害を生じる可能性がある。
【０００６】
本考案はこのような課題に鑑みてなされたものであって、その目的は、組み立て時においても折り畳み時においても、段積みしたラックの落下や傾倒等を防止でき安全に段積みすることが可能なラックを提供することにある。
【課題を解決するための手段】
【０００７】
前記課題を解決するために、本考案に係るラックは、パレットと、両側辺の柱部と当該柱部を連結する梁部とを有する枠状部材であって、前記パレットの対向する一方の辺縁に沿って立設されるとともに各々前記パレット上に折り畳み可能な一対の妻枠と、前記パレットの対向する他方の辺縁に沿って立設され、各々前記一対の妻枠の対向する側辺を連結するとともに、各々前記パレット上に折り畳み可能な一対の側枠とを有するラックであって、前記パレットの４隅に設置され、前記妻枠の前記柱部を回動可能に保持するとともに、前記妻枠が立設された場合に当該妻枠の前記柱部を係合保持し当該妻枠を前記立設状態に維持するコーナー部材と、前記パレットの４隅の下部に各々設置され、前記妻枠が立設状態とされた当該ラックを段積みする場合には下段の当該ラックの前記妻枠の前記柱部の上端部が挿入され、前記妻枠及び前記側枠が折り畳まれた当該ラックを段積みする場合には下段の当該ラックの前記コーナー部材の上端部が挿入される下方に開口した凹部を有する脚部と、前記パレットの前記脚部の近傍に設置され、スピンドルを前記脚部の前記凹部に略水平に進入させるとともに当該進入したスピンドルを当該凹部から退避させることのできるスピンドル部と、前記妻枠の前記柱部の前記上端部及び前記コーナー部材の前記上端部に各々形成される孔であって、当該妻枠の前記柱部の前記上端部又は前記コーナー部材の前記上端部が前記脚部の前記凹部に挿入された状態において、前記脚部の凹部に進入される前記スピンドルが通過され、前記妻枠の前記柱部の前記上端部又は前記コーナー部材の前記上端部が前記脚部の凹部から離脱不能に係止される係合孔とを有する係止機構とをさらに有することを特徴とする。
【０００８】
好適には、前記脚部は、前記凹部を形成する側面の１に形成され前記スピンドルが通過して外部から当該凹部に進入する第１の孔と、当該第１の孔が形成された側面に対向する側面の前記第１の孔に対向する位置に形成され、前記凹部に進入し前記妻枠の前記柱部の前記上端部又は前記コーナー部材の前記上端部の前記係合孔を通過したスピンドルが前記凹部から外部方向にさらに通過する第２の孔とを有することを特徴とする。
【０００９】
また好適には、前記スピンドル部は、前記脚部近傍の前記パレットの側面に配置され前記スピンドルの前記進入及び前記退避を操作する操作部を有することを特徴とする。
【００１０】
また好適には、前記係止機構は、前記パレットの４隅に各々配置される前記コーナー部材、前記脚部及び前記妻枠の前記柱部のうち、少なくとも対角に位置する２箇所の前記コーナー部材、前記脚部及び前記妻枠の前記柱部に対して設置されることを特徴とする。
【００１１】
また好適には、前記一対の妻枠の対向する各側辺の各対向面には、板状部材が上方から挿入可能で、前記板状部材が挿入された場合は当該板状部材を保持可能な係合受部が形成されており、前記一対の側枠の両側辺の外面であって前記妻枠の前記対向面に対向する面には、前記妻枠の前記係合受部に挿入可能な板状部材である板状係合部が形成されており、前記一対の側枠は、両側辺の前記板状係合部を、前記一対の妻枠の対向する各側辺の各対向面の前記係合受部に挿入することにより、前記一対の妻枠の対向する側辺を連結した状態で前記パレットの対向する他方の辺縁に沿って立設される。
【００１２】
また好適には、本考案に係るラックは、前記一対の側枠に両側縁部が設置され当該一対の側枠の間に設置される布状部材であって、収容対象のロール製品の外周面を支持し当該ロール製品を前記パレット上に保持する製品受け布と、前記製品受け布により前記パレット上に保持された前記ロール製品のコアの少なくとも上方向への移動を防止する製品押え部材と、前記製品受け布により前記パレット上に保持された前記ロール製品の前記コアの、前記妻枠に平行な横方向及び前記側枠に平行な軸方向の移動を防止するストッパー部材とをさらに有し、ロール製品を収容することを特徴とするものである。
【考案の効果】
【００１３】
本考案によれば、組み立て時においても折り畳み時においても、段積みしたラックの落下や傾倒等を防止でき安全に段積みすることが可能なラックを提供することができる。
【図面の簡単な説明】
【００１４】
【図１】図１は、本考案の一実施形態のロール製品用ラックの全体構成及び使用形態を示す斜視図である。
【図２】図２は、図１に示したロール製品用ラックの構成部材を説明するための分解斜視図である。
【図３】図３は、図１に示したロール製品用ラックの組み立て状態及び組み立てたロール製品用ラックの段積み状態を示す図であり、（Ａ）は正面図であり、（Ｂ）は側面図である。
【図４】図４は、上段のロール製品用ラックの脚部の凹部に下段のロール製品用ラックの妻枠の柱部の上端部が挿入された状態を示す図であり、（Ａ）は正面図であり、（Ｂ）は側面図である。
【図５】図５は、ロール製品用ラックの係止機構を説明するための図であり、（Ａ）は脚部の凹部からスピンドル部が退避した状態を示す図であり、（Ｂ）は脚部の凹部にスピンドル部が挿入通過した状態を示す図である。
【図６】図６は、図４と同様に上段のロール製品用ラックの脚部の凹部に下段のロール製品用ラックの妻枠の柱部の上端部が挿入された状態を示す図であり、（Ａ）は外観図であり、（Ｂ）は一部透視図である。
【図７】図７は、図１に示したロール製品用ラックの折り畳み状態及び折り畳まれたロール製品用ラックの段積み状態を示す図であり、（Ａ）は正面図であり、（Ｂ）は側面図である。
【図８】図８は、上段のロール製品用ラックの脚部の凹部に下段のロール製品用ラックのコーナー部材の上端部が挿入された状態を示す図であり、（Ａ）は正面図であり、（Ｂ）は側面図である。
【考案を実施するための形態】
【００１５】
本考案のラックの一実施形態としてのロール製品用ラックについて、図１〜図８を参照して説明する。
図１及び図２に示すように、ロール製品用ラック１は、主な構成として、パレット１００、コーナー金具１１０、脚部１６０、スピンドル部１７０、一対の妻枠２００、一対の側枠３００、製品受け布４００、及び、製品押えベルト５００（２個）を有する。
まず、ロール製品用ラック１の各部の構成について説明する。
【００１６】
パレット１００は、ロール製品用ラック１の基台である。パレット１００は、略直方体形状をなし、少なくとも長手方向の側面にはフォークリフトの爪部（フォーク）が差し込まれるリフト用開口１０１が形成されている。本実施形態においてパレット１００は、スチール製の角筒パイプ、断面Ｕ字状の棒状鋼材あるいは断面Ｌ字状の棒状鋼材等（以下、これらを棒状部材と総称する。）が溶接等により連結されて形成されている。
【００１７】
図２に示すように、パレット１００の４隅位置には、所定の高さに設置される支柱１２０が配置されている。妻枠２００をパレット１００上に立設する場合には、この支柱１２０の上面に妻枠２００が（具体的には、妻枠２００の支柱２０１が）載置される。
【００１８】
パレット１００の４隅位置の支柱１２０の外側には、パレット１００の略上面の位置から上方に所定の高さに形成される断面Ｌ字状のコーナー金具（コーナー部）１１０が配設されている。
図７に示すように、コーナー金具１１０は、ロール製品用ラック１が折り畳まれて段積みされる際の支柱としても使用される。従ってコーナー金具１１０は、ロール製品用ラック１が折り畳まれた状態において、すなわち、後述するように妻枠２００及び側枠３００がパレット１００上に傾倒された状態において、ロール製品用ラック１の中で最も背の高い部材となるように形成される。
【００１９】
図２に示すように、Ｌ字状断面を形成するコーナー金具１１０の板面の一方の面であって、パレット１００の短手方向の両端に設置されるコーナー金具１１０の各対向面、すなわち、各コーナー金具１１０のパレット１００の長手方向に平行な面には、後述する妻枠２００の妻枠設置ピン２１０が挿入される妻枠設置ピン挿入孔１１３が形成されている。妻枠設置ピン挿入孔１１３は、鉛直方向に長い長円形状の孔であって、水平方向の幅は妻枠設置ピン２１０の直径と略同じ長さ（正確には、妻枠設置ピン２１０が挿入され長円中を容易に移動できるような若干の遊びを有する長さ）である。また、妻枠設置ピン挿入孔１１３の鉛直方向の長さは、妻枠２００を上下移動させて妻枠２００のストッパーピン２２０をコーナー金具１１０のストッパーピン係合溝１１４に落とし込み、また、ストッパーピン係合溝１１４に落とし込まれたストッパーピン２２０を上方から抜き出すことができるように、ストッパーピン係合溝１１４の深さと略同じか、それより若干長い長さである。
【００２０】
コーナー金具１１０の妻枠設置ピン挿入孔１１３が形成されている板面と同じ板面の上縁部には、妻枠２００をコーナー金具１１０に沿ってパレット１００に立設する場合に妻枠２００に設けられたストッパーピン２２０が係合されるストッパーピン係合溝１１４が形成されている。ストッパーピン係合溝１１４に妻枠２００のストッパーピン２２０が落とし込まれることにより、妻枠２００はパレットの上面方向に傾倒不能な状態となり、コーナー金具１１０に沿ってパレット１００上に立設される。
【００２１】
図７に示すように、コーナー金具１１０の上端部１１１は先細形状に形成されており、折り畳まれた状態のロール製品用ラック１を段積みする際には、下段のロール製品用ラック１の４隅のコーナー金具１１０の上端部１１１がその上に段積みされる上段のロール製品用ラック１の４隅の脚部１６０の凹部１６１に各々挿入される。これにより、段積みされたロール製品用ラック１が相互に水平方向にずれることが防止される。
【００２２】
図８に示すように、上段のロール製品用ラック１の４隅の脚部１６０の凹部１６１に挿入された下段のロール製品用ラック１のコーナー金具１１０の上端部１１１は、４隅のうち対角に位置する２箇所に設置される後述する係止機構６００により離脱不能に係止される。段積みされたロール製品用ラック１に振動や衝撃などが加わった場合にも、上段のロール製品用ラック１が落下したり傾倒したりすることを防ぐためである。そのために、図２及び図８に示すように、係止機構６００が設置される２箇所の隅のコーナー金具１１０の上端部１１１の近傍には、係止機構６００の一部をなすスピンドル部１７０のスピンドル１７１の先端部１７２が挿入係合される孔であって、同じく係止機構６００の一部をなす係合孔１１５が形成されている。
【００２３】
図１及び図２に示すように、パレット１００の４隅位置のコーナー金具１１０の下側には、パレット１００の高さと略同じ高さの脚部１６０が設置されている。脚部１６０の内側は、下方に開口した凹部１６１に形成されており、ロール製品用ラック１を段積みする際に、下段のロール製品用ラック１の妻枠２００の支柱２０１の上端部２０６、あるいは、下段のロール製品用ラック１のコーナー金具１１０の上端部１１１が挿入される。これにより、段積みされたロール製品用ラック１が相互に水平方向にずれることが防止される。
【００２４】
図４又は図８に示すように、上段のロール製品用ラック１の４隅の脚部１６０の凹部１６１に挿入された下段のロール製品用ラック１の妻枠２００の支柱２０１の上端部２０６あるいはコーナー金具１１０の上端部１１１は、４隅のうち対角に位置する２箇所に設置される後述する係止機構６００により離脱不能に係止される。段積みされたロール製品用ラック１に振動や衝撃などが加わった場合にも、上段のロール製品用ラック１が落下したり傾倒したりすることを防ぐためである。そのために、図４、図５及び図８に示すように、係止機構６００が設置される２箇所の隅の脚部１６０には、係止機構６００の一部をなす内側スピンドル通過孔（第１の孔）１６２及び外側スピンドル通過孔（第２の孔）１６３が形成されている。
【００２５】
内側スピンドル通過孔１６２は、脚部１６０の凹部１６１を形成する側面のうちのロール製品用ラック１の長手方向に対向する２側面の内側の面に、外側スピンドル通過孔１６３はその外側の面に各々形成される。内側スピンドル通過孔１６２は、スピンドル部１７０のスピンドル１７１が外部から脚部１６０の凹部１６１に挿入されるための孔であり、外側スピンドル通過孔１６３は、内側スピンドル通過孔１６２を介して脚部１６０の凹部１６１に挿入され凹部１６１を通過したスピンドル１７１が、凹部１６１の内部から外部にさらに通過するための孔である。従って、内側スピンドル通過孔１６２と外側スピンドル通過孔１６３は、脚部１６０の対向する２側面の対向する位置に設置される。
【００２６】
図１及び図２に示すように、パレット１００の４隅のうち対角に位置する２箇所の隅には、係止機構６００の一部をなすスピンドル部１７０が設置されている。スピンドル部１７０は、パレット１００の長手方向の側面の脚部１６０の近傍に設置されている。スピンドル部１７０は、スピンドル１７１を脚部１６０の凹部１６１に進入させる、あるいは、脚部１６０の凹部１６１から退避させる機構である。
【００２７】
図４及び図８に示すように、スピンドル部１７０は、把持部１７３及び係止部１７４を有するスピンドル１７１と、スピンドル１７１を水平方向に移動可能に、また、退避位置Ｐ１及び進入位置Ｐ２で係止可能に保持する保持部１７５とを有する。スピンドル１７１は、把持部１７３を引き起こすことによりパレット１００の側面に沿って、退避位置Ｐ１と進入位置Ｐ２との間を水平方向に移動可能となる。また、把持部１７３をパレット１００の側面に沿った姿勢に倒すことにより、係止部１７４が保持部１７５に係止されスピンドル１７１は水平方向に移動不能となり、退避位置Ｐ１あるいは進入位置Ｐ２に保持される。
【００２８】
図５（Ａ）に示すように、スピンドル１７１が退避位置Ｐ１にある場合、スピンドル１７１の先端部１７２は脚部１６０の凹部１６１には進入しておらず、スピンドル１７１が脚部１６０の凹部１６１に挿入される部材、すなわち、下段のロール製品用ラック１の妻枠２００の支柱２０１の上端部２０６やコーナー金具１１０の上端部１１１と干渉することはない。従って、この状態においては、ロール製品用ラック１を段積みしたり、段積みされたロール製品用ラック１を分離したりすることが可能である。
【００２９】
図４及び図８に示すように、スピンドル１７１の把持部１７３を起こしてスピンドル１７１を退避位置Ｐ１から進入位置Ｐ２方向に移動させることにより、スピンドル１７１の先端部１７２は、脚部１６０の内側スピンドル通過孔１６２から脚部１６０の凹部１６１内に進入する。
【００３０】
そしてさらにスピンドル１７１を進入位置Ｐ２方向に移動させることにより、スピンドル１７１の先端部１７２は、脚部１６０の外側スピンドル通過孔１６３から脚部１６０の外側に達する、この状態においては、脚部１６０の凹部１６１の内部は、図５（Ｂ）に示すように、スピンドル１７１が貫通した状態となる。この状態で、スピンドル１７１の把持部１７３を倒すことにより、スピンドル１７１が脚部１６０の凹部１６１を貫通した状態が維持される。
【００３１】
ロール製品用ラック１を段積みする際には、脚部１６０の凹部１６１には下段のロール製品用ラック１の妻枠２００の支柱２０１の上端部２０６あるいはコーナー金具１１０の上端部１１１が挿入されており、スピンドル１７１は、その係合孔２０７あるいは係合孔１１５を通過する、すなわち、妻枠２００の支柱２０１の上端部２０６あるいはコーナー金具１１０の上端部１１１とスピンドル１７１とが係合することとなる。その結果、段積みされた上下のロール製品用ラック１のこれらの結合部分が離脱することが防止され、段積みされたロール製品用ラック１の落下や傾倒が防止される。
【００３２】
図２に示すように、パレット１００の上面には、側枠３００が設置される長手方向の辺縁に沿って、各辺縁に３箇所の側枠設置部材１３０が設置されている。側枠設置部材１３０は、側枠３００を妻枠２００間に立設した場合に側枠３００の支柱３０１，３０２が配置される位置に設置される。具体的には、側枠設置部材１３０は、側枠３００の両側の支柱３０１に対しては、その内側で支柱３０１の側面に略接するように、また、側枠３００の中央の支柱３０２に対しては、側枠設置ピン３２０が突出している側で支柱３０２の側面に略接するように設置される。
【００３３】
各側枠設置部材１３０には、後述する側枠３００の側枠設置ピン３２０が挿入される側枠設置ピン挿入孔１３３が形成されている。側枠設置ピン挿入孔１３３は、鉛直方向に長い長円形状の孔であって、水平方向の幅は側枠設置ピン３２０の直径と略同じ長さ（正確には、側枠設置ピン３２０が挿入され長円中を容易に移動できるような若干の遊びを有する長さ）である。また、側枠設置ピン挿入孔１３３の鉛直方向の長さは、側枠３００を上下移動させて側枠３００の係合爪（板状係合部）３３０を妻枠２００の係合爪受け部（係合受け部）２３０に差し込み、また、係合爪受け部２３０に差し込まれた係合爪３３０を上方から抜き出すことができるように、係合爪３３０と係合爪受け部２３０との係合深さと略同じか、それより若干長い長さである。
【００３４】
さらに、パレット１００の上面の４隅位置の、妻枠２００が設置される箇所のすぐ内側には、フック状の金具であるラッシングベルト係留部１４０が設置されている。ラッシングベルト係留部１４０には、後述するように、ロール製品用ラック１に収容したロール製品のコアの上方向への移動を抑制するための製品押えベルト５００が係留される。
【００３５】
一対の妻枠２００は、パレット１００の上面の長手方向両側に短手方向に沿って設置される枠部材である。すなわち、各妻枠２００は、パレット１００の短手方向を長手方向とする略長方形形状の枠部材である。妻枠２００の各々は、ロール製品用ラック１が組み立てられた時にはパレット１００の短手方向の辺縁に沿って立設され、ロール製品用ラック１が折り畳まれる時にはパレット１００の上面に傾倒される。
【００３６】
妻枠２００は、パレット１００の短手方向の長さに略等しい間隔に設置される２本の支柱２０１、２本の支柱の下端部を連結する下枠２０２、及び、支柱２０１の中間部と下枠２０２の中間部とを連結するように設置されるＬ字状の一対の中枠２０３を有する。
【００３７】
妻枠２００の２本の支柱２０１は、ロール製品を収容したロール製品用ラック１を段積みできるように、図３に示すように、収容したロール製品の上端の高さよりもさらに高くなる長さに形成されている。前述したように、ロール製品を収容したロール製品用ラック１を段積みする際には、下段のロール製品用ラック１の妻枠２００の支柱２０１の上端部２０６が、その上に段積みされる上段のロール製品用ラック１の脚部１６０の凹部１６１に挿入される。
【００３８】
また、４隅の妻枠２００の支柱２０１のうち対角に位置する２箇所においては、図４及び図６に示すように、係止機構６００により妻枠２００の支柱２０１が上段の脚部１６０の凹部１６１から離脱しないように係合される。その２箇所に対応する妻枠２００の支柱２０１の上端部２０６には、係止機構６００としてのスピンドル部１７０のスピンドル１７１の先端部１７２が通過し妻枠２００の支柱２０１が脚部１６０に係合されるように、係合孔２０７が形成されている。係合孔２０７は、ロール製品用ラック１の長手方向に対向する支柱２０１の２側面に、スピンドル部１７０の先端部１７２が支柱２０１を貫通可能なように形成されている。
【００３９】
中枠２０３は、各々、支柱２０１の略１／２の長さの垂直部２０４及び下枠２０２の１／２より若干短い水平部２０５が垂直に接続されて形成された部材である。一対の中枠２０３は、図示のごとく、垂直部２０４を所定の間隔離した状態で、いわゆる背面合わせの姿勢、形態で２本の支柱２０１間に設置される。２つの中枠２０３の垂直部２０４の間を所定の間隔離している分、中枠２０３の水平部２０５の長さは、下枠２０２の１／２の長さよりも短くなる。
【００４０】
妻枠２００の各支柱２０１の下端部の内側（パレット１００の上部空間側）には、妻枠２００をコーナー金具１１０に回動可能に設置する妻枠設置ピン２１０が設置されている。妻枠設置ピン２１０は、一方の端部（先端部）が妻枠２００の側端面から外方向に突出するように妻枠２００の各支柱２０１に設置されている。妻枠２００は、両側端部のこの妻枠設置ピン２１０をパレット１００のコーナー金具１１０の妻枠設置ピン挿入孔１１３に挿入することにより、パレット１００から離脱不能で、両妻枠設置ピン２１０を結ぶ軸を回転軸として回動可能に、パレット１００に設置される。
【００４１】
妻枠２００の各支柱２０１の中間部の外側面には、妻枠２００をパレット１００上に立設する際に、コーナー金具１１０のストッパーピン係合溝１１４に係合されるストッパーピン２２０が形成されている。ストッパーピン２２０がストッパーピン係合溝１１４に係合されることにより、妻枠２００はパレット１００の上部空間方向に傾倒することが不可能となり、コーナー金具１１０に沿って立設された状態に維持される。
【００４２】
妻枠２００の各支柱の中間部の内側（パレット１００の上部空間側）には、側枠３００の係合爪３３０が差し込まれる係合爪受け部２３０が形成されている。係合爪受け部２３０は、支柱２０１の幅でコ字状に折り曲げたスチール部材を支柱２０１に溶接等により装着することにより形成する。
【００４３】
妻枠２００の２つの中枠２０３の各垂直部２０４の内側（パレット１００の上部空間側）には、板状部材がパレット１００の上部空間側に突出するように設置されており、横振れストッパー２４１を構成している。横振れストッパー２４１を形成する各板状部材は、中枠２０３の垂直部２０４の下端部付近から垂直部２０４が水平部２０５と接続されている付近まで、各々対向するように形成されている。ロール製品用ラック１にロール製品が収容された場合に、ロール製品のコアがこの対向する板状部材の間に配置されることとなり、これによりロール製品の横方向（軸方向と垂直な方向）の移動が防止される。
【００４４】
横振れストッパー２４１を構成する対向配置された板状部材は、その上端部が外側（対向方向とは反対側）に傾斜するように折り曲げられて径方向案内部を形成しており、ロール製品をロール製品用ラック１に収容する際に、ロール製品の横方向の位置決めが容易に行えるようになっている。
【００４５】
妻枠２００の２つの中枠２０３の各垂直部２０４の内側（パレット１００の上部空間側）の面であって、横振れストッパー２４１（対向配置された一対の板状部材）の内側の面は、軸振れストッパー２４２として構成されている。ロール製品用ラック１にロール製品が収容された場合に、ロール製品のコアの端面がこの軸振れストッパー２４２に略当接した状態となり、これによりロール製品の軸方向の移動が防止される。
【００４６】
妻枠２００の中枠２０３の垂直部２０４の上側（垂直部２０４と水平部２０５とが接続された角部の上面）には、パレット１００の外側から内側方向に下向きに傾斜した軸方向案内部２４３が形成されており、ロール製品をロール製品用ラック１に収容する際に、ロール製品の軸方向の位置決めが容易に行えるようになっている。
【００４７】
これら横振れストッパー２４１及び軸振れストッパー２４２が、ロール製品のコアの妻枠２００に平行な横方向及び側枠３００に平行な軸方向の移動を防止する本考案のストッパー部材２４０を構成する。
【００４８】
妻枠２００を構成する各部材には、パレット１００と同様に、スチール製の角筒パイプ、Ｕ字鋼、あるいはＬ字鋼等の棒状部材が用いられる。
【００４９】
一対に側枠３００は、パレット１００の上面の短手方向両側に長手方向に沿って設置される枠部材であり、各々、パレット１００の長手方向両側に立設された一対の妻枠２００の対向する支柱２０１を連結する部材である。側枠３００の各々は、ロール製品用ラック１が組み立てられた時にはパレット１００の長手方向の辺縁に沿って立設され、ロール製品用ラック１が折り畳まれた時にはパレット１００の上面に傾倒される。
【００５０】
側枠３００は、パレット１００の長手方向の長さに略等しい間隔に設置される２本の両側の支柱３０１、２本の両側の支柱３０１の略中央に設置される中央の支柱３０２、及び、これら３本の支柱３０１，３０２を各々連結する接続部３０３を有する。各接続部３０３は、各支柱３０１，３０２の中央より若干下側の部分で水平に支柱３０１，３０２を接続する。なお、３本の支柱３０１、３０２の長さは、妻枠２００の支柱２０１よりも短い。
【００５１】
側枠３００の各支柱３０１，３０２の下端部の内側（パレット１００の上部空間側）には、側枠３００をパレット１００上に回動可能に設置する側枠設置ピン３２０が設置されている。側枠設置ピン３２０は、両側の支柱３０１においては、一方の端部（先端部）が側枠３００の内側方向に突出するように側枠３００の支柱３０１に設置されている。また、中央の支柱３０２においては、一方の端部（先端部）が、両側の支柱３０１のいずれか一方の方向に突出するように支柱３０２に設置されている。側枠３００は、これら側枠設置ピン３２０をパレット１００に設置された側枠設置部材１３０の側枠設置ピン挿入孔１３３に挿入することにより、パレット１００から離脱不能で、各側枠設置ピン３２０を結ぶ軸を回転軸として回動可能に、パレット１００に設置される。
【００５２】
側枠３００の両側の支柱３０１の上部の外側面には、上部が支柱３０１に接合され下部は解放された薄板部材であり、側枠３００を妻枠２００に連結するための係合爪３３０が設置されている。前述したように、妻枠２００の各支柱の中間部の内側には係合爪受け部２３０が形成されており、側枠３００は、両側の係合爪３３０が対向配置された妻枠２００の係合爪受け部２３０に各々差し込まれることにより、妻枠２００の対向する各支柱を連結する。そして、側枠３００は、この状態で、内側方向（パレット１００の上部空間方向）にも外側方向にも傾倒することが不可能となり、パレット１００の長手方向の辺縁に沿って立設された状態に維持される。
【００５３】
側枠３００の各支柱３０１，３０２の上面には、製品受け布４００を側枠３００上に固定設置するための埋め込みナット３４０が設置されている。埋め込みナット３４０は、支柱３０１，３０２の上面に開口を形成し、その内側にナットを溶接により設置したものである。製品受け布４００の製品受け布芯材４１０は、この埋め込みナット３４０を利用してボルト４３２により側枠３００の支柱３０１，３０２の上面に沿って設置される。
【００５４】
また、側枠３００の各支柱３０１，３０２の上部には、製品受け布芯材受け３４１，３４２が設置されている。製品受け布芯材受け３４１，３４２は、支柱３０１，３０２の上面に沿って載置された製品受け布４００の製品受け布芯材４１０が、内側に、すなわちパレット１００の上部空間側に落下しないように掛止する部材である。後述するが、製品受け布４００は、実際にロール製品が載置される布部４２０と、その両端部に設置される製品受け布芯材４１０とを有し、この一対の製品受け布芯材４１０が、対向設置される側枠３００の各支柱３０１，３０２上に各々載置される。従って、ロール製品を収容していない状態においても、ロール製品を収容した場合においても（その場合はより確実に）、製品受け布芯材４１０は内側方向に引っ張られることとなる。製品受け布芯材受け３４１，３４２は、このように力が加わる製品受け布４００の製品受け布芯材４１０を側枠３００の支柱３０１，３０２上に保持するための係合部材である。
【００５５】
側枠３００の両側の支柱３０１の上部には、断面Ｌ字状の製品受け布芯材受け３４１が設置される。このような形状により、側枠３００の両側の支柱３０１の上部の製品受け布芯材受け３４１は、製品受け布４００の製品受け布芯材４１０の内側への移動を阻止するとともに、製品受け布芯材４１０の軸方向の位置をも規定する。
【００５６】
また、側枠３００の中央の支柱３０２の上部には、板状の製品受け布芯材受け３４２が設置される。側枠３００の中央の支柱３０２の上部においては、製品受け布芯材受け３４２は、単に、製品受け布４００の製品受け布芯材４１０の内側への移動を阻止する。
【００５７】
製品受け布４００は、収容対象のロール製品を、その外周面を支持する形態で収容しパレット１００上に保持する部材である。製品受け布４００は、製品受け布芯材４１０及び布部４２０を有する。布部４２０の長手方向の辺縁は筒状に形成されており、この筒状の部分にスチール製の丸パイプが挿入され製品受け布芯材４１０として構成されている。製品受け布４００の布部４２０の素材は、ターポリン、キャンバス（綿帆布）あるいはナイロン等が好ましいが、強度が確保できる布状部材であれば任意の素材でよい。
【００５８】
製品受け布芯材４１０の長さは側枠３００の長さと略同じであり、製品受け布芯材受け３４１，３４２により規定される側枠３００の３本の支柱３０１、３０２の上面に沿って、支柱３０１，３０２上に固定設置される。製品受け布芯材４１０は、製品受け布芯材４１０たる丸パイプの上部から断面コ字状のスペーサ金具４３１を丸パイプの周面に沿って下向きに介在させ、その上部からスペーサ金具４３１と製品受け布芯材４１０とに一体にボルト４３２を貫通させ、これを支柱３０１，３０２の上部の埋め込みナット３４０に係合挿入することにより、側枠３００の支柱３０１，３０２上に固定設置される。
【００５９】
製品受け布４００の布部４２０の長手方向の長さは、側枠３００の両側の支柱３０１の間の内寸に略等しく、製品受け布芯材４１０を側枠３００上に設置した場合、布部４２０は製品受け布芯材４１０の両端のボルト４３２の内側に配置されることとなる。布部４２０の長手方向中央付近の、側枠３００の中央の支柱３０２に対応する箇所は切り欠きが形成されて製品受け布芯材４１０が露出するように形成されており、この箇所でボルト４３２により製品受け布芯材４１０を側枠３００の中央の支柱３０２に固定設置できるようになっている。
【００６０】
製品受け布４００は、両側の製品受け布芯材４１０を、対向配置された一対の側枠３００の上部に各々設置することにより、その間の布部４２０がパレット１００の上部空間にたるんだ状態で配置されることとなる。この状態で布部４２０上にロール製品を載置することにより、図１及び図３に示すように、ロール製品は布部４２０に外周下面を支持される形態でパレット１００上に保持される。
【００６１】
製品押えベルト５００は、図１及び図３に示すように、製品受け布４００によりパレット１００上に保持したロール製品の少なくとも上方向への移動を防止する部材である。本実施形態のロール製品用ラック１において製品押えベルト５００は、いわゆるラッシングベルトである。製品押えベルト５００は、ロール製品用ラック１の長手方向両端部の妻枠２００のすぐ内側に、両端部が前述したパレット１００のラッシングベルト係留部１４０に係留された状態で配置されており、ロール製品が製品受け布４００に載置された場合には、そのコアの端部の上方面を経由するように配置されて、そのロール製品のコアを下方に引っ張り、上方向への移動を防止する。製品押えベルト５００は、図示省略するがラチェット式の締め付け機構を具備しており、これにより適当な締め付け力でロール製品のコアを下方に引っ張り保持する。
【００６２】
ロール製品用ラック１は、このような構成を有する。
なお、本実施形態のロール製品用ラック１において係止機構６００は、スピンドル部１７０、コーナー金具１１０の上端部１１１の係合孔１１５、妻枠２００の支柱２０１の上端部２０６の係合孔２０７、及び、脚部１６０の内側スピンドル通過孔１６２及び外側スピンドル通過孔１６３により構成されるものである。
【００６３】
次に、このような構成のロール製品用ラック１の使用形態について説明する。
【００６４】
まず、折り畳まれているロール製品用ラック１を組み立ててロール製品を収容する方法、手順について説明する。
【００６５】
まず、パレット１００上に傾倒されている一対の妻枠２００を起こし、パレット１００上の長手方向両側にコーナー金具１１０に沿って立設させる。
各妻枠２００は、下端部内側の妻枠設置ピン２１０を回転軸として回動可能に構成されているので、例えば支柱２０１の上端部を把持してこれを上に引き上げることにより、妻枠２００はパレット１００上に傾倒された姿勢から鉛直方向に立設した姿勢とされる。
【００６６】
妻枠２００を略鉛直方向の姿勢としたら、さらにこれを持ち上げて回動させ、ストッパーピン２２０をパレット１００のコーナー金具１１０のストッパーピン係合溝１１４に落とし込む。妻枠２００の妻枠設置ピン２１０は、パレット１００のコーナー金具１１０の長円形状の妻枠設置ピン挿入孔１１３の鉛直方向の長さの範囲で上下に移動可能なので、これにより妻枠２００を上方向に移動させストッパーピン２２０をストッパーピン係合溝１１４に係合させる。
【００６７】
妻枠２００をパレット１００上に立設したら、次に、側枠３００をパレット１００上に立設する。
各側枠３００は、下端部内側の側枠設置ピン３２０を回転軸として回動可能に構成されているので、例えば支柱３０１，３０２の上端部を把持してこれを上に引き上げることにより、側枠３００はパレット１００上に傾倒された姿勢から鉛直方向に立設した姿勢とされる。
【００６８】
側枠３００を略鉛直方向の姿勢としたら、さらにこれを持ち上げて回動させ、係合爪３３０を妻枠２００の係合爪受け部２３０に差し込む。側枠３００の側枠設置ピン３２０は、パレット１００の側枠設置部材１３０の長円形状の側枠設置ピン挿入孔１３３の鉛直方向の長さの範囲で上下に移動可能なので、これにより側枠３００を上方向に移動させ係合爪３３０を係合爪受け部２３０に嵌合させる。
【００６９】
製品受け布４００は一対の側枠３００の上部に固定設置されているので、側枠３００を立設すればロール製品用ラック１は既にロール製品を収容可能な状態である。すなわち、この状態で、パレット１００の製品受け布４００の上にロール製品を載置する。
この際、ロール製品をパレット１００の略中央部に配置するようにすれば、軸振れストッパー２４２の上部の径方向案内部及び軸方向案内部２４３の作用にも支援されて、ロール製品のコアの端部は妻枠２００に形成された一対の横振れストッパー２４１の間に配置され、また、ロール製品のコアは対向配置された妻枠２００の各軸振れストッパー２４２の間に配置されることとなる。これにより、ロール製品は、横方向及び軸方向の移動、すなわち振動や振れが防止された状態で、ロール製品用ラック１に収容される。
【００７０】
このようにロール製品を載置したら、ロール製品の上方向への浮き上がりを防止するために、ロール製品のコアに製品押えベルト５００を装着する。すなわち、製品押えベルト５００たるラッシングベルトをロール製品のコアの上方周面にかかるように設置し、図示せぬ締め付け機構により、ロール製品のコアが適度な力で引っ張られるように製品押えベルト５００を締め付ける。
これにより、ロール製品の浮き上がりも防止され、ロール製品はロール製品用ラック１に収容され保持された状態となる。
【００７１】
このようにしてロール製品が収容されたロール製品用ラック１は、必要に応じて段積みされて、搬送等される。
ロール製品を収容したロール製品用ラック１を段積みする際には、ロール製品用ラック１の４隅の妻枠２００の支柱２０１の上端部２０６が、上側のロール製品用ラック１の脚部１６０の凹部１６１に挿入されるように、下側のロール製品用ラック１の上に上側のロール製品用ラック１を載置する。
【００７２】
次に、上側のロール製品用ラック１の対角に位置する２箇所に設置される係止機構６００としてのスピンドル部１７０を操作し、下段のロール製品用ラック１の妻枠２００の支柱２０１の上端部２０６と上側のロール製品用ラック１の脚部１６０の凹部１６１とを離脱不能に係合させる。
すなわち、図４に示すように、上側のロール製品用ラック１のスピンドル１７１の把持部１７３を引き起こしてスピンドル１７１を退避位置Ｐ１から進入位置Ｐ２方向に水平移動させる。その結果、スピンドル１７１の先端部１７２は、脚部１６０の内側スピンドル通過孔１６２を通過し脚部１６０の凹部１６１に進入し、凹部１６１に挿入された下段のロール製品用ラック１の妻枠２００の支柱２０１の上端部２０６に形成された係合孔２０７を通過し、すなわち妻枠２００の支柱２０１を貫通して、上段のロール製品用ラック１の脚部１６０の外側スピンドル通過孔１６３から外部に突出する。
【００７３】
この状態で、スピンドル１７１の把持部１７３を倒すことにより、スピンドル１７１は進入位置Ｐ２に保持され、下段のロール製品用ラック１の妻枠２００の支柱２０１と上段のロール製品用ラック１の脚部１６０との係合が維持される。
これにより、段積みされたロール製品用ラック１が相互に水平方向にずれることが防止され、また、大きな衝撃や振動が加わった場合も、段積みされた上段のロール製品用ラック１が落下や傾倒することが防止される。
【００７４】
次に、搬送等が終了したロール製品用ラック１からロール製品を取り出し、さらに、空となったロール製品用ラック１を回送等のために折り畳む方法、手順について説明する。
まず、ロール製品を収容したロール製品用ラック１が段積みされている場合、段積みされたロール製品用ラック１を下ろして段積み状態を解消する必要がある。
そのためには、進入位置Ｐ２にある上段のロール製品用ラック１のスピンドル部１７０のスピンドル１７１の把持部１７３を引き起こし、進入位置Ｐ２にあるスピンドル１７１を水平移動させて退避位置Ｐ１に戻す。その結果、スピンドル１７１は上段のロール製品用ラック１の脚部１６０の外側スピンドル通過孔１６３及び内側スピンドル通過孔１６２、及び、下段のロール製品用ラック１の妻枠２００の支柱２０１の上端部２０６の係合孔２０７から引き抜かれ、これら下段のロール製品用ラック１の妻枠２００の支柱２０１と上段のロール製品用ラック１の脚部１６０との係合が解消され、上段のロール製品用ラック１を下段のロール製品用ラック１上から下ろすことが可能となる。
【００７５】
段積みが解消された各ロール製品用ラック１からロール製品を取り出す際には、まず、製品押えベルト５００によるロール製品のコアの規制を解除する。すなわち、製品押えベルト５００の締め付け機構を緩め、ラッシングベルトをロール製品のコアの上方周面からはずす。これにより、ロール製品は、既に上方から取り出し可能な状態となる。
【００７６】
ロール製品をロール製品用ラック１から取り出したら、ロール製品用ラック１を折り畳む。
まず、側枠３００を上方に持ち上げ、側枠３００の係合爪３３０と妻枠２００の係合爪受け部２３０との嵌合を解除し、側枠３００の上部をパレット１００上に傾倒させる。これにより、側枠３００はパレット１００上に折り畳まれた状態となる。
【００７７】
側枠３００をパレット１００上に折り畳んだら、次に、妻枠２００を上方に持ち上げ、妻枠２００のストッパーピン２２０とパレット１００のコーナー金具１１０のストッパーピン係合溝１１４との係合を解除し、妻枠２００の上部をパレット１００上に傾倒させる。これにより、妻枠２００はパレット１００上に折り畳まれた状態となる。
【００７８】
以上の手順により、ロール製品用ラック１は既に折り畳まれた状態となっている。
このようにして折り畳まれたロール製品用ラック１は、図７に示すように必要に応じて段積みされて、搬送等される。
折り畳まれたロール製品用ラック１を段積みする際には、ロール製品用ラック１の４隅のコーナー金具１１０の上端部１１１が上側のロール製品用ラック１の脚部１６０の凹部１６１に挿入されるように、下側のロール製品用ラック１の上に上側のロール製品用ラック１を載置する。
【００７９】
次に、上側のロール製品用ラック１の対角に位置する２箇所に設置される係止機構６００としてのスピンドル部１７０を操作し、下段のロール製品用ラック１のコーナー金具１１０の上端部１１１と上側のロール製品用ラック１の脚部１６０の凹部１６１とを離脱不能に係合させる。
すなわち、図８に示すように、上側のロール製品用ラック１のスピンドル１７１の把持部１７３を引き起こしてスピンドル１７１を退避位置Ｐ１から進入位置Ｐ２方向に水平移動させる。その結果、スピンドル１７１の先端部１７２は、脚部１６０の内側スピンドル通過孔１６２を通過し脚部１６０の凹部１６１に進入し、凹部１６１に挿入された下段のロール製品用ラック１のコーナー金具１１０の上端部１１１に形成された係合孔１１５を通過し、上段のロール製品用ラック１の脚部１６０の外側スピンドル通過孔１６３から外部に突出する。
【００８０】
この状態で、スピンドル１７１の把持部１７３を倒すことにより、スピンドル１７１は進入位置Ｐ２に保持され、下段のロール製品用ラック１のコーナー金具１１０と上段のロール製品用ラック１の脚部１６０との係合が維持される。
これにより、段積みされたロール製品用ラック１が相互に水平方向にずれることが防止され、また、大きな衝撃や振動が加わった場合も、段積みされた上段のロール製品用ラック１が落下や傾倒することが防止される。
【００８１】
なお、段積みされた折り畳まれたロール製品用ラック１の段積みを解消する方法は、前述した段積みされた組み立てられたロール製品用ラック１の段積みを解消する方法と同じなので、ここでは説明を省略する。
【００８２】
このように、本実施形態のロール製品用ラック１においては、段積みする際、上下のロール製品用ラック１の載置部分の部材、すなわち、下段のロール製品用ラック１の妻枠２００の支柱２０１の上端部２０６あるいはコーナー金具１１０の上端部１１１と上段のロール製品用ラック１の脚部１６０とを、スピンドル部１７０を含む係止機構６００により一体に結合している。このように段積みしたロール製品用ラック１を一体化することで、例えば保管時の地震等の揺れや搬送時の大きな衝撃等、大きな振動や衝撃が作用してもこれらのロール製品用ラック１が分離して落下や傾倒することが防止される。特に、鉛直方向の振動に対しても、上下のロール製品用ラック１が分離することを防ぐことができる。
【００８３】
その結果、ロール製品を安全に収容し搬送あるいは保管等することができる。また、折り畳んだロール製品用ラック１の搬送あるいは保管等についても安全に行うことができる。
【００８４】
また、本実施形態のロール製品用ラック１においては、ロール製品を、そのコアを支持するのではなく、その外周面全体を製品受け布４００で巻き込むようにして支持し、保持、収容することができる。従って、サイズが大きく重量が重く高付加価値な高価なロール製品であっても、特殊なコア（支管）を用いることなく、換言すれば安価なコアを用いて、安全かつ効率よく保持し搬送等をすることができる。
【００８５】
また、本実施形態のロール製品用ラック１においては、図３に示すように、径の異なるロール製品を収容することができる。従って、複数種類の製品に対して同じロール製品用ラック１を使用することができ、その点においても非常に効率がよい。
【００８６】
また、ロール製品用ラック１は、不要な時は折り畳んで段積みしておくことができるので、回送や保管を効率よく行える。
【００８７】
また、ロール製品用ラック１の使用手順、組み立て／折り畳み手順は、前述したように非常に簡単なものである。従って、少数の作業員で効率よく作業を行うことができる。
【００８８】
なお、前述した実施形態は、本考案の理解を容易にするために記載されたものであって本考案を何ら限定するものではない。本実施形態に開示された各要素は、本考案の技術的範囲に属する全ての設計変更や均等物をも含み、また任意好適な種々の改変が可能である。
【００８９】
例えば、係止機構６００は、前述した実施形態においては、ロール製品用ラック１の４隅のうち対角に位置する２箇所に設置されるものとしたが、４隅全てに設置してもよい。
【００９０】
また、前述した実施形態におけるパレット１００、コーナー金具１１０、脚部１６０、妻枠２００、側枠３００、製品受け布４００及び製品押えベルト５００等の配置、構成、数等は、任意に変更可能である。
また、ロール製品用ラック１が収容可能なロール製品も、何ら限定されるものではない。
【産業上の利用可能性】
【００９１】
本考案は、ロール状に形成された種々のシート状製品、テープ状製品、フィルム状製品の収容、保管、搬送等において利用可能である。
【符号の説明】
【００９２】
１…ロール製品用ラック
１００…パレット
１０１…リフト用開口
１１０…コーナー金具
１１１…上端部
１１３…妻枠設置ピン挿入孔
１１４…ストッパーピン係合溝
１１５…係合孔
１２０…支柱
１３０…側枠設置部材
１３３…側枠設置ピン挿入孔
１４０…ラッシングベルト係留部
１６０…脚部
１６１…凹部
１６２…内側スピンドル通過孔
１６３…外側スピンドル通過孔
１７０…スピンドル部
１７１…スピンドル
１７２…先端部
１７３…把持部
１７４…係止部
１７５…保持部
２００…妻枠
２０１…支柱
２０６…上端部
２０７…係合孔
２０２…下枠
２０３…中枠
２０４…垂直部
２０５…水平部
２１０…妻枠設置ピン
２２０…ストッパーピン
２３０…係合爪受け部
２４０…ストッパー部材
２４１…横振れストッパー
２４２…軸振れストッパー
２４３…軸方向案内部
３００…側枠
３０１、３０２…両側の支柱
３０３…接続部
３２０…側枠設置ピン
３３０…係合爪
３４０…埋め込みナット
３４１、３４２…製品受け布芯材受け
４００…製品受け布
４１０…製品受け布芯材
４２０…布部
４３１…スペーサ金具
４３２…ボルト
５００…製品押えベルト
６００…係止機構
【図１】
0003180951.tif 000003
【図２】
0003180951.tif 000004
【図３】
0003180951.tif 000005
【図４】
0003180951.tif 000006
【図５】
0003180951.tif 000007
【図６】
0003180951.tif 000008
【図７】
0003180951.tif 000009
【図８】
0003180951.tif 000010